【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
負荷に供給可能な導体出力信号を供給する電気導体に供給可能な回路出力信号を生成するための電気的駆動回路であって、前記回路出力信号および前記導体出力信号は、おおよそ出力電圧レベルペアの間で、それぞれ対応する回路出力遷移および導体出力遷移を生じさせ、前記出力電圧レベルペアの間には中間電圧レベルが存在し、前記導体および負荷のインダクタンスおよびキャパシタンスは、対応する回路出力遷移の間に非ゼロ中間レベル維持期間において前記回路出力信号がおおよそ前記中間電圧レベルを維持する間に、前記導体出力信号が各導体出力遷移をほぼ完了することを可能にする共振をもたらし、前記回路は、
実質的に非ゼロ遷移時間を部分回路出力遷移にもたらすために、前記出力電圧レベルペアの少なくとも一方と前記中間レベルとの間で部分回路出力遷移を制御するランプ制御回路を備える回路。
【請求項２】
前記部分回路出力遷移は、前記回路の他のスイッチング事象に対して相対的に遅くなるように制御される、請求項１記載の駆動回路。
【請求項３】
前記回路出力を前記二つの出力電圧レベルの第１レベルに引き上げるとともに、前記二つの出力電圧レベルの第２レベルに引き下げるプルアップトランジスタおよびプルダウントランジスタをさらに備え、前記部分回路出力遷移は、前記プルアップおよびプルダウントランジスタのスイッチングよりも遅くなるように制御される、請求項１記載の駆動回路。
【請求項４】
スイッチオンの際に前記回路出力を前記中間電圧レベルに駆動し、スイッチオフの際に前記回路出力を前記二つの出力電圧レベルの第１レベルに駆動することを許可する中間レベル駆動トランジスタをさらに備え、前記部分回路出力遷移は、前記中間レベル駆動トランジスタのスイッチオフよりも遅くなるように制御される、請求項１記載の駆動回路。
【請求項５】
前記部分回路出力遷移時間は前記導体出力信号が導体出力遷移を実質的に完了するのにかかる時間の関数として制御可能である、請求項１記載の駆動回路。
【請求項６】
前記制御回路が、
前記回路出力信号と前記第２制御信号とを比較して、前記第２制御信号が前記対応する制御遷移を完了する前に、前記回路出力信号が回路出力遷移を完了するかどうかを判定する時間比較回路と、
前記比較に応じて前記部分回路遷移時間を調整する調整回路とを備える、
請求項１記載の駆動回路。
【請求項７】
基準ランプを生成する基準ランプ回路と、前記基準ランプ回路に結合されて部分回路出力遷移と前記基準ランプとを比較する比較器回路とを備える、請求項１記載の駆動回路。
【請求項８】
前記比較器回路は前記部分回路出力遷移レベルと基準電圧とを比較し、前記基準電圧は前記中間電圧レベルと出力電圧レベルのほぼ中間であり、前記部分回路出力遷移の開始と前記部分回路出力遷移の予想される終了のおおよそ中間の時刻において前記出力が前記出力電圧レベルに向かって遷移する、請求項７記載の駆動回路。
【請求項９】
前記比較器回路は積分ラッチ比較器を備え、部分回路出力遷移と前記基準ランプを表す信号との間の前記部分出力遷移の実質的に全時間にわたる平均比較を提供する、請求項７記載の駆動回路。
【請求項１０】
前記比較に応じて、前記部分回路遷移時間を調整する調整回路をさらに備える、請求項７記載の駆動回路。
【請求項１１】
部分回路遷移に必要な前記時間は過去の少なくとも一つの回路出力遷移の特性の関数として制御される、請求項１記載の駆動回路。
【請求項１２】
前記ランプ制御回路は前記回路出力信号を制御された方法で駆動するためのソースフォロワを含む、請求項１記載の駆動回路。
【請求項１３】
前記中間電圧レベルの電源と前記回路出力信号との間に接続されたスイッチを備え、前記ランプ制御回路は前記回路出力信号を制御された方法で駆動するために前記スイッチに電流を供給する電流ミラーを備える、請求項１記載の駆動回路。
【請求項１４】
請求項１記載の電気的駆動回路であって、異なった第１、第２および第３の供給電圧源に結合され、前記第２供給電圧は前記第１供給電圧と前記第３供給電圧との間に位置し、前記回路は、
回路入力信号に応答して、異なった第１、第２および第３制御信号を生成する制御回路と、
第１スイッチであって、（ａ）前記第１供給電圧の電圧源に結合される第１電流電極、（ｂ）回路出力信号（ＶＤＯ）が提供される出力ノードに結合される第２電流電極、（ｃ）前記第１スイッチの電流電極の間を流れる電流を制御するために前記第１制御信号に応答する制御電極を有する第１スイッチと、
第２スイッチであって、（ａ）前記第２供給電圧の電圧源に結合される第１電流電極、（ｂ）前記出力ノードに結合される第２電流電極、（ｃ）前記第２スイッチの電流電極の間を流れる電流を制御するために前記第２制御信号に応答する制御電極を有する第２スイッチと、
第３スイッチであって、（ａ）前記第３供給電圧の電圧源に結合される第１電流電極、（ｂ）前記出力ノードに結合される第２電流電極、（ｃ）前記第３スイッチの電流電極の間を流れる電流を制御するために前記第３制御信号に応答する制御電極を有する第３スイッチとを備え、
前記回路出力信号は、おおよそ前記第１供給電圧と第３供給電圧との間で上昇および下降回路出力遷移を生じさせ、前記回路出力信号は各回路出力遷移の間に非ゼロ中間レベル維持期間においておおよそ前記第２供給電圧に維持され、前記第１供給電圧と第３供給電圧との間および／または前記第２供給電圧と第３供給電圧との間の遷移時間は制御される回路。
【請求項１５】
負荷に供給可能な導体出力信号を供給する電気導体に供給可能な回路出力信号を生成するための電気的駆動回路であって、前記回路出力信号および前記導体出力信号は、おおよそ出力電圧レベルペアの間で、それぞれ対応する回路出力遷移および導体出力遷移を生じさせ、前記出力電圧レベルペアの間には中間電圧レベルが存在し、前記導体および負荷のインダクタンスおよびキャパシタンスは、対応する回路出力遷移の間に非ゼロ中間レベル維持期間において前記回路出力信号がおおよそ前記中間電圧レベルを維持する間に、前記導体出力信号が各導体出力遷移をほぼ完了することを可能にする共振をもたらし、前記回路は、
前記中間電圧レベルと前記第１電圧レベルとの間に少なくとも第１コンデンサ要素を含み、前記中間電圧レベルと前記第２電圧レベルとの間に少なくとも第２コンデンサ要素を含む回路。
【請求項１６】
前記第１および第２コンデンサ要素は分離リザーバコンデンサを形成する、請求項１５記載の駆動回路。
【請求項１７】
複数のパッケージ導線インダクタンスが前記電気導体と前記出力電圧レベルペアのそれぞれの電源との間に存在し、前記第１および第２コンデンサ要素は回路出力電圧の変化が前記駆動回路に流れ戻る戻り電流が前記複数のパッケージ配線インダクタンスの間でおおよそ等しく分かれるようにする、請求項１５記載の駆動回路。
【請求項１８】
前記第１および第２コンデンサ要素が前記複数の出力電圧レベルの間に減結合キャパシタンスをもたらす、請求項１５記載の駆動回路。
【請求項１９】
負荷に供給可能な導体出力信号を供給する電気導体に供給可能な回路出力信号を生成するための電気的駆動回路であって、前記回路出力信号および前記導体出力信号は、おおよそ第１電圧、第２電圧および前記第１、第２電圧の間の中間電圧の間で、それぞれ対応する回路出力遷移および導体出力遷移を生じさせ、前記回路は、
第１トランジスタであって、（ａ）前記第１電圧の電圧源に結合される第１電流電極、（ｂ）回路出力信号が提供される出力ノードに結合される第２電流電極、（ｃ）前記第１トランジスタの電流電極の間を流れる電流を制御するために第１制御信号に応答する制御電極を有する第１トランジスタと、
第２トランジスタであって、（ａ）前記第２電圧の電圧源に結合される第１電流電極、（ｂ）前記出力ノードに結合される第２電流電極、（ｃ）前記第２トランジスタの電流電極の間を流れる電流を制御するために第２制御信号に応答する制御電極を有する第２トランジスタと、
第３トランジスタであって、（ａ）前記中間電圧の電圧源に結合される第１電流電極、（ｂ）前記出力ノードに結合される第２電流電極、（ｃ）前記第３トランジスタの電流電極の間を流れる電流を制御するために第３制御信号に応答する制御電極を有する第３トランジスタと、
前記第３トランジスタの前記制御電極と、前記第１および第２電圧レベルの電源との間にそれぞれ接続された第４および第５トランジスタと、
前記第３トランジスタの前記制御電極を前記第４および第５トランジスタを介して前記第１および第２電圧レベルへ選択的に放電する制御回路とを備え、
前記出力信号は、前記第１、第２および第３制御信号に制御されて、おおよそ前記第１電圧と第２電圧との間で上昇および下降回路出力遷移を生じさせ、前記回路出力信号は各回路出力遷移の間に非ゼロ中間レベル維持期間においておおよそ前記中間電圧に維持される回路。
【請求項２０】
前記第１、第２および第３制御信号を供給して、前記回路出力信号を各回路出力遷移の間に非ゼロ中間レベル維持期間においておおよそ前記中間供給電圧に維持する制御回路をさらに備える、請求項１９記載の駆動回路。